(57)【要約】【課題】傾けた状態の焦電センサを安定させて保持することができ、検知範囲のずれを防止して人体などから放射される赤外線を十分に検知することができる、照明用制御ユニット及びその照明用制御ユニットを備えた照明装置を提供する。【解決手段】照明用制御ユニットは、人体を検知する複数の焦電センサと、複数の焦電センサを保持するセンサ保持部材と、焦電センサからの信号を処理する制御部を有する回路基板と、少なくともセンサ保持部材及び回路基板を内部に収納するケース部材と、を備えている。焦電センサは、第１接合部を有している。センサ保持部材は、焦電センサの第１接合部に接合される第２接合部が複数設けられ、該第２接合部のうち少なくとも１つが、接合した焦電センサを回路基板の板面の垂直方向に対して目標の角度に傾ける構造を有している。【選択図】図５
2019083102.tif 000002
【特許請求の範囲】
【請求項１】
人体を検知する複数の焦電センサと、
複数の前記焦電センサを保持するセンサ保持部材と、
前記焦電センサからの信号を処理する制御部を有する回路基板と、
少なくとも前記センサ保持部材及び前記回路基板を内部に収納するケース部材と、を備え、
前記焦電センサは、第１接合部を有しており、
前記センサ保持部材は、前記焦電センサの前記第１接合部に接合される第２接合部が複数設けられ、該第２接合部のうち少なくとも１つが、接合した前記焦電センサを前記回路基板の板面の垂直方向に対して目標の角度に傾ける構造を有しており、
複数の前記焦電センサのうち、少なくとも１つの前記焦電センサが前記センサ保持部材によって前記回路基板の垂直方向に対して目標の傾きで保持されている、照明用制御ユニット。
【請求項２】
前記第１接合部と前記第２接合部とは、凹凸が嵌り合う形状で構成されている、請求項１に記載の照明用制御ユニット。
【請求項３】
前記センサ保持部材は、第１嵌合部を有し、
前記回路基板は、前記第１嵌合部と嵌り合う第２嵌合部を有しており、
前記センサ保持部材は、前記第１嵌合部に前記第２嵌合部を嵌め合わせて位置決めされた状態で、前記回路基板に取り付けられている、請求項１又は２に記載の照明用制御ユニット。
【請求項４】
前記ケース部材の内部において板面が前記焦電センサと対向するように配置された前記回路基板を重力方向に移動させる移動機構を、更に有しており、
前記移動機構は、移動させた前記回路基板に連動させて前記焦電センサを重力方向に移動させることで、前記焦電センサの検知範囲を可変させる、請求項１〜３のいずれか一項に記載の照明用制御ユニット。
【請求項５】
前記ケース部材の内部において板面が前記焦電センサと対向するように配置された前記回路基板を、板面の垂直方向を回転軸として回動させる回動機構を、更に有しており、
前記回動機構は、回動させた前記回路基板に連動させて前記焦電センサを回動させることで、前記焦電センサの検知範囲を可変させる、請求項１〜３のいずれか一項に記載の照明用制御ユニット。
【請求項６】
光源と、
前記光源の点灯を制御する点灯制御装置と、
請求項１〜５のいずれか一項に記載した照明用制御ユニットと、を備え、
前記点灯制御装置は、前記照明用制御ユニットの前記制御部から送信された制御信号に基づいて前記光源の点灯を制御する、照明装置。
【発明の詳細な説明】
【技術分野】
【０００１】
本発明は、照明器具に取り付けられる照明用制御ユニット及び照明用制御ユニットを備えた照明装置に関するものである。
【背景技術】
【０００２】
従来、照明器具に取り付けられて、人体を検知する照明用制御ユニットが知られている。照明用制御ユニットは、例えば複数の焦電センサと、焦電センサからの信号を処理する制御部を有する回路基板とを備えている。照明器具は、内蔵された点灯制御装置が、照明用制御ユニットの制御部から送信された制御信号に基づいて光源の点灯を制御する構成である。
【０００３】
例えば特許文献１では、人体などから放射される赤外線を検出する複数の焦電センサを備えた焦電素子モジュールが開示されている。この焦電素子モジュールは、焦電素子モジュールとしての検知方向を正面としたとき、焦電センサの各々に備わる焦電素子の検出方向が正面の軸線に対して斜めになり、且つ互いに異なる方向に配置された構成である。
【先行技術文献】
【特許文献】
【０００４】
【特許文献１】特開２０１３−２３１６６７号公報
【発明の概要】
【発明が解決しようとする課題】
【０００５】
特許文献１では、焦電素子の検出方向が正面の軸線に対して斜めとなり、且つ互いに異なる方向に配置された構成であるが、その焦電素子を傾ける構造についての詳細は不明である。焦電素子は、傾けた状態が不安定であると検知範囲がずれて未検知範囲が増加し、人体などから放射される赤外線を十分に検知することができない虞がある。
【０００６】
本発明は、上記のような課題を解決するためになされたもので、傾けた状態の焦電センサを安定させて保持することができ、検知範囲のずれを防止して人体などから放射される赤外線を十分に検知することができる、照明用制御ユニット及びその照明用制御ユニットを備えた照明装置を提供することを目的とする。
【課題を解決するための手段】
【０００７】
本発明に係る照明用制御ユニットは、人体を検知する複数の焦電センサと、複数の前記焦電センサを保持するセンサ保持部材と、前記焦電センサからの信号を処理する制御部を有する回路基板と、少なくとも前記センサ保持部材及び前記回路基板を内部に収納するケース部材と、を備え、前記焦電センサは、第１接合部を有しており、前記センサ保持部材は、前記焦電センサの前記第１接合部に接合される第２接合部が複数設けられ、該第２接合部のうち少なくとも１つが、接合した前記焦電センサを前記回路基板の板面の垂直方向に対して目標の角度に傾ける構造を有しており、複数の前記焦電センサのうち、少なくとも１つの前記焦電センサが前記センサ保持部材によって前記回路基板の垂直方向に対して目標の傾きで保持されているものである。
【発明の効果】
【０００８】
本発明によれば、センサ保持部材によって焦電センサが回路基板の垂直方向に対して目標の傾きで保持されているので、傾けた状態の焦電センサを安定させて保持することができ、検知範囲のずれを防止して人体などから放射される赤外線を十分に検知することができる。
【図面の簡単な説明】
【０００９】
【図１】本発明の実施の形態１に係る照明用制御ユニットを備えた照明装置を示した斜視図である。
【図２】本発明の実施の形態１に係る照明用制御ユニットを備えた照明装置を示した正面図である。
【図３】本発明の実施の形態１に係る照明用制御ユニットを備えた照明装置であって、照明器具から照明用制御ユニットを取り外した状態を拡大して示した斜視図である。
【図４】本発明の実施の形態１に係る照明用制御ユニットを取り付ける照明器具の分解斜視図である。
【図５】本発明の実施の形態１に係る照明用制御ユニットの分解斜視図である。
【図６】本発明の実施の形態に係る照明用制御ユニットであって、照明器具に取り付けた状態の縦断面図である。
【図７】本発明の実施の形態１に係る照明用制御ユニットの焦電センサを示した斜視図である。
【図８】本発明の実施の形態１に係る照明用制御ユニットのセンサ保持部材を下面側から見た斜視図である。
【図９】本発明の実施の形態１に係る照明用制御ユニットのセンサ保持部材を上面側から見た斜視図である。
【図１０】本発明の実施の形態１に係る照明用制御ユニットの回路基板と、センサ保持部材と、焦電センサとを組み合わせた状態を平面的に示した説明図である。
【図１１】傾斜していない焦電センサを１つ備えた照明用制御ユニットの要部を模式的に示した説明図である。
【図１２】図１１で示した照明用制御ユニットの検知範囲を示した説明図である。
【図１３】傾斜していない焦電センサと、傾斜させた焦電センサとを備えた照明用制御ユニットの要部を模式的に示した説明図である。
【図１４】図１３で示した照明用制御ユニットの検知範囲を示した説明図である。
【図１５】異なる方向に傾斜する焦電センサを２つ備えた照明用制御ユニットの要部を模式的に示した説明図である。
【図１６】図１５で示した照明用制御ユニットの検知範囲を示した説明図である。
【図１７】本発明の実施の形態２に係る照明用制御ユニットを模式的に示した正面図である。
【図１８】本発明の実施の形態２に係る照明用制御ユニットを模式的に示した正面図である。
【図１９】図１８で示した状態の照明用制御ユニットの検知範囲を示した説明図である。
【図２０】本発明の実施の形態３に係る照明用制御ユニットを模式的に示した底面図である。
【図２１】本発明の実施の形態３に係る照明用制御ユニットを模式的に示した底面図である。
【図２２】図２０で示した状態の照明用制御ユニットの検知範囲を示した説明図である。
【図２３】図２１で示した状態の照明用制御ユニットの検知範囲を示した説明図である。
【発明を実施するための形態】
【００１０】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１１】
実施の形態１．
実施の形態１に係る照明用制御ユニット２は、照明器具１に取り付けられて照明装置１００を構成するものである。先ずは、照明器具１の構成を、図１〜図４に基づいて説明する。図１は、本発明の実施の形態１に係る照明用制御ユニットを備えた照明装置を示した斜視図である。図２は、本発明の実施の形態１に係る照明用制御ユニットを備えた照明装置を示した正面図である。図３は、本発明の実施の形態１に係る照明用制御ユニットを備えた照明装置であって、照明器具から照明用制御ユニットを取り外した状態を拡大して示した斜視図である。図４は、本発明の実施の形態１に係る照明用制御ユニットを取り付ける照明器具の分解斜視図である。
【００１２】
照明器具１は、図１〜図４に示すように、アーム１０と、電源ユニット１１と、天板１２と、支柱枠組１３と、光源ユニット１５と、カバー部材１８と、を有している。
【００１３】
アーム１０は、照明器具１を天井又は梁に取り付けるものである。アーム１０は、略Ｕ字形状であり、両端部が支柱枠組１３の両側面の中央に回動自在に取り付けられている。
【００１４】
電源ユニット１１は、六面体の箱状の金属製筐体の内部に、光源ユニット１５へ電力を供給するための電源回路と、光源ユニット１５の光源１７ａの点灯を制御する点灯制御装置１１ａと、を有した構成である。
【００１５】
天板１２は、上面中央に電源ユニット１１を載せて電源ユニット１１を固定するものである。天板１２は、支柱枠組１３の上面に固定されており、光源ユニット１５の上面を覆っている。天板１２は、金属板で構成されている。
【００１６】
支柱枠組１３は、光源ユニット１５を収納するものである。支柱枠組１３は、主支柱部材１３ａと、中間支柱部材１３ｂと、ガード部材１３ｃと、を略直方体形状となるように組み合わせて柵状の外側面を形成した構成である。支柱枠組１３は、上開口部が天板１２で覆われ、下開口部がカバー部材１８によって覆われている。主支柱部材１３ａ、中間支柱部材１３ｂ及びガード部材１３ｃは、それぞれ金属板で構成されている。
【００１７】
主支柱部材１３ａは、金属板を略直角に折り曲げてＬ字状に形成された構成であり、支柱枠組１３の四隅に配置されている。
【００１８】
中間支柱部材１３ｂは、支柱枠組１３の長辺部分にて隣接する主支柱部材１３ａの間に、主支柱部材１３ａと平行させて設けられている。中間支柱部材１３ｂには、照明用制御ユニット２を取り付けるための支持機構１４が設けられている。この支持機構１４は、一例として中間支柱部材１３ｂの左右側縁から主支柱部材１３ａ側に向かって突き出す一対の凸部１４ａと、該凸部１４ａの上方に設けられた凹部１４ｂとで構成されている。
【００１９】
ガード部材１３ｃは、隣接する主支柱部材１３ａを連結するものである。ガード部材１３ｃは、主支柱部材１３ａ及び中間支柱部材１３ｂとネジ接合されている。なお、図１に示すように、支柱枠組１３の長辺部分におけるガード部材１３ｃは、照明用制御ユニット２を取り付ける際に取り外される場合がある。
【００２０】
光源ユニット１５は、支柱枠組１３の内部に配置されて固定され、電源ユニット１１から電力の供給を受けて光源１７ａを発光させるものである。光源ユニット１５は、ヒートシンク１６と、ヒートシンク１６の下面に配置されたＬＥＤ基板１７と、を有している。ヒートシンク１６は、矩形状の放熱板１６ａと、放熱板１６ａから立設された複数の放熱フィン１６ｂと、を有している。放熱板１６ａは、支柱枠組１３の下面と略同一の平面形状で構成され、上面の外周縁に上方に向かって立ち上がる外周壁１６ｃが設けられている。ＬＥＤ基板１７は、光源１７ａとして例えば６個のＬＥＤを配列した構成である。光源１７ａは、放熱フィン１６ｂの直下に配置されている。
【００２１】
カバー部材１８は、支柱枠組１３にネジ接合等で固定され、光源ユニット１５の底面を覆っている。カバー部材１８には、光源１７ａに対応する位置に開口が形成されている。
なお、カバー部材１８は、例えば合成樹脂製である。
【００２２】
次に、実施の形態１に係る照明用制御ユニット２の構成を、図１〜図４を参照しつつ図５〜図１０に基づいて説明する。図５は、本発明の実施の形態１に係る照明用制御ユニットの分解斜視図である。図６は、本発明の実施の形態に係る照明用制御ユニットであって、照明器具に取り付けた状態の縦断面図である。図７は、本発明の実施の形態１に係る照明用制御ユニットの焦電センサを示した斜視図である。図８は、本発明の実施の形態１に係る照明用制御ユニットのセンサ保持部材を下面側から見た斜視図である。図９は、本発明の実施の形態１に係る照明用制御ユニットのセンサ保持部材を上面側から見た斜視図である。図１０は、本発明の実施の形態１に係る照明用制御ユニットの回路基板と、センサ保持部材と、焦電センサとを組み合わせた状態を平面的に示した説明図である。
【００２３】
図５に示した照明用制御ユニット２は、人感センサである。人感センサとは、人間の有無及び位置を検知するためのセンサである。照明用制御ユニット２は、外郭を形成するケース部材３と、焦電センサ３５と、センサ保持部材３４と、回路基板３２と、を備えている。
【００２４】
ケース部材３は、図５に示すように、下面に開口を有するケーストップ部３０と、ケーストップ部３０の開口を覆うケースボトム部３１と、で構成されている。ケース部材３は、ケーストップ部３０とケースボトム部３１とを組み合わせて箱状に形成される。ケース部材３は、一例としてケーストップ部３０に設けた爪部を、ケースボトム部３１に設けた係止孔に掛け留めることにより組み合わされる。ケース部材３の内部には、複数の焦電センサ３５を保持するセンサ保持部材３４と、焦電センサ３５からの信号を処理する制御部３３を有する回路基板３２とが収納されている。
【００２５】
ケーストップ部３０は、中間支柱部材１３ｂに当接させる当接面部３０ａと、当接面部３０ａの上端縁から下面に向かって湾曲する湾曲面３０ｂと、を有している。湾曲面３０ｂは、ケース部材３の背面側を形成するものである。但し、ケーストップ部３０の形状は、図示した形状に限定されるものでない。
【００２６】
ケーストップ部３０は、上面に電線１９（ハーネス）を通すための電線孔３０ｃが形成されている。電線１９は、図６に示すように、ケース部材３の内部に配置した回路基板３２に一端が接続され、電源ユニット１１の点灯制御装置１１ａに他端が接続されている。電線１９の一端は、ケーストップ部３０の内部において、インシュロック１９ｂで張力止めされて固定されている。一方、電線１９の他端は、図３に示すように、クリップ１９ｃで張力止めされて電源ユニット１１を構成する金属製筐体の上面に固定される。電線１９と電源ユニット１１とを接続した箇所は、コネクターカバー１９ａによって覆われて保護されている。コネクターカバー１９ａは、電源ユニット１１の上面にネジ部材等の接合部材でしっかりと固定されている。なお、電線１９は、アーム１０の可動範囲を妨げない長さとする。
【００２７】
ケースボトム部３１は、上面に開口を有する凹形状で構成されている。ケースボトム部３１の底面には、内部に収容した焦電センサ３５を露出させるための開口部３１ａが４つ形成されている。また、ケースボトム部３１の凹内部の隅部には、回路基板３２に形成された貫通孔３２ａに挿入されて、回路基板３２の下面側を固定するための基板支持部３１ｂが３つ設けられている。
【００２８】
焦電センサ３５は、図７に示すように、レンズ３５ａと、レンズ３５ａの内部に収納された焦電素子３５ｂと、焦電素子３５ｂに接続されるリード線３５ｃと、センサ保持部材３４に取り付けられる第１接合部３５ｄと、で構成されている。焦電センサ３５は、図２及び図６に示すように、人間の有無及び位置を検知するため、ケースボトム部３１に形成した開口部３１ａからレンズ３５ａの一部を外部へ露出させて設けられている。レンズ３５ａは、人体を検知する面が湾曲状に形成されており、内部に焦電素子３５ｂを収納するための空間が形成されている。焦電センサ３５は、レンズ３５ａの大きさ及び形状に基づいて人体を検知する検知ゾーンが決定される。そのため、レンズ３５ａの大きさ及び形状は、照明装置１００が設置される場所の広さ、又はその場所の形状に応じて設定される。なお、焦電センサ３５は、図示例した４つに限定されず、２つ以上あればよい。
【００２９】
焦電素子３５ｂは、焦電効果を利用して人体などから発せられる赤外線を検知するものである。図示した焦電素子３５ｂは、円柱形状であり、レンズ３５ａの上面から一部が露出している。焦電素子３５ｂは、露出した部分が回路基板３２と接触しないように、周囲を第１接合部３５ｄで囲まれて保護されている。
【００３０】
リード線３５ｃは、一例として焦電素子３５ｂに電源を供給する電源リード及びグランドリードと、焦電素子３５ｂが人体を検知した際に信号を出力する出力信号リードと、で構成されている。リード線３５ｃは、一端が焦電素子３５ｂに接続され、他端が回路基板３２に実装された制御部３３に接続されている。
【００３１】
第１接合部３５ｄは、貫通孔３５ｅを有する円筒状で構成され、レンズ３５ａの湾曲面の反対側の面に設けられている。第１接合部３５ｄの筒内部には、レンズ３５ａから一部が露出した焦電素子３５ｂが配置されている。
【００３２】
センサ保持部材３４は、４つの焦電センサ３５を共通に支持するために設けられている。センサ保持部材３４は、図５及び図６に示すように、略矩形状の板状部材であり、一方の面で４つの焦電センサ３５を共通に保持すると共に、他方の面が回路基板３２に組み付けられて固定される構成である。
【００３３】
センサ保持部材３４には、図８に示す焦電センサ３５を保持する面に、焦電センサ３５の第１接合部３５ｄに接合される第２接合部３４ａが４つ設けられている。具体的には、第２接合部３４ａは、円形状に凹ませた窪部３４ｂの内部に焦電センサ３５の第１接合部３５ｄの筒内部と嵌り合う凸状として形成された構成である。この第２接合部３４ａには、リード線３５ｃを通すための貫通孔３４ｄが形成されている。つまり、第１接合部３５ｄと第２接合部３４ａとは、凹凸が嵌り合う形状で構成されている。なお、図示することは省略したが、第１接合部３５ｄを凸状とし、第２接合部３４ａを凹状としてもよい。
【００３４】
第２接合部３４ａは、接合した焦電センサ３５を回路基板３２の板面の垂直方向に対して目標の角度に傾ける構造を有している。具体的には、第２接合部３４ａは、回路基板３２の垂直方向に対して、焦電センサ３５を傾けたい目標の傾斜角度で形成されている。また、窪部３４ｂの底面３４ｃも、第２接合部３４ａと同様に、回路基板３２の垂直方向に対して傾斜させている。
【００３５】
つまり、４つの焦電センサ３５は、センサ保持部材３４の第２接合部３４ａによって回路基板３２の垂直方向に対して目標の傾きで保持されている。なお、第２接合部３４ａは、少なくとも１つが、接合した焦電センサ３５を回路基板３２の板面の垂直方向に対して目標の角度に傾ける構造としてもよい。
【００３６】
また、図９に示すように、センサ保持部材３４の他方の面には、凸状の第１嵌合部３４ｅが２つ設けられている。一方、回路基板３２には、図１０に示すように、第１嵌合部３４ｅが嵌め込まれる凹状の第２嵌合部３２ｂが２つ設けられている。センサ保持部材３４は、第１嵌合部３４ｅと第２嵌合部３２ｂとを嵌め合わせることで、回路基板３２に搭載した時点で位置決めされる。
【００３７】
第１嵌合部３４ｅは、回路基板３２の板厚よりも小さい高さで形成し、回路基板３２の上面から突き出さないようにすることが望ましい。これは、センサ保持部材３４を取り付けた状態で回路基板３２に半田付けを行う際に、突き出した第１嵌合部３４ｅを誤って溶かしてしまう事態を防止するためである。
【００３８】
なお、第１嵌合部３４ｅ及び第２嵌合部３２ｂの個数は、図示した２つに限定されず、３つ以上でもよい。また、第１嵌合部３４ｅを凹状とし、第２嵌合部３２ｂを凸状としてもよい。また、第１嵌合部３４ｅ及び第２嵌合部３２ｂは、図示した形状及び大きさに限定されず、第１嵌合部３４ｅと第２嵌合部３２ｂとが嵌まり合い、センサ保持部材３４を回路基板３２に位置決めすることができれば、他の形態でもよい。因みに、センサ保持部材３４は、第１嵌合部３４ｅ及び第２嵌合部３２ｂを設けることなく、回路基板３２に取り付けてもよい。
【００３９】
回路基板３２は、図５に示すように、ケースボトム部３１の凹内部に収まるように略四角形状で構成され、板面が焦電センサ３５と対向するように配置されている。回路基板３２の下面側には、電線１９を接続するためのコネクタ３６と、上記構成の焦電センサ３５とが実装されている。また、回路基板３２の上面側には、焦電センサ３５からの信号を取得して処理し、照明器具１の点灯制御装置１１ａに制御信号を送信する制御部３３が実装させている。つまり、点灯制御装置１１ａは、照明用制御ユニット２の制御部３３から送信された制御信号に基づいて光源１７ａの点灯を制御する。
【００４０】
ここで、照明用制御ユニット２を照明器具１に取り付ける構造の一例を簡潔に説明する。照明用制御ユニット２は、図３、図５及び図６に示すように、支持機構１４にスライドさせて組み付けられる第一固定部材４と、照明器具１に取り付けられる第二固定部材５と、を備えている。第一固定部材４は、図５に示すように、照明器具１に取り付けらえるケース部材３の当接面部３０ａに間隔をあけて設けられた一対の係合部４０と、係合部４０の下端に設けられた接続部４１と、を有している。第二固定部材５は、図３及び図６に示すように、放熱板１６ａの外周壁１６ｃに掛け留める２つのフック部５０と、ケース部材３を目標の位置で保持するＬ字状の保持部５１と、を有している。
【００４１】
照明用制御ユニット２を照明器具１に取り付けるには、先ず、第二固定部材５を照明器具１の放熱板１６ａに取り付ける。次に、ケース部材３の当接面部３０ａを中間支柱部材１３ｂに当てがい、第一固定部材４の係合部４０を支持機構１４の凹部１４ｂに差し込み、第一固定部材４を下方にスライドさせて係合部４０を凸部１４ａに組み合わせる。第一固定部材４は、ケース部材３の底面が保持部５１の屈曲面に突き当たるまで下方にスライドさせる。最後に、第二固定部材５のフック部５０と、第一固定部材４の接続部４１と、をボルト等の締結部材６で締結する。以上により、照明用制御ユニット２が照明器具１に取り付けられて照明装置１００が完成する。
【００４２】
次に、実施の形態１の照明用制御ユニットの検知範囲を、図１１〜図１６に基づいて説明する。図１１は、傾斜していない焦電センサを１つ備えた照明用制御ユニットの要部を模式的に示した説明図である。図１２は、図１１で示した照明用制御ユニットの検知範囲を示した説明図である。図１２では、焦電センサ３５Ａのレンズ３５ａが天井から下方に向かうように照明用制御ユニット２を天井に取り付けた際に、床面１０１に対して検知する範囲を示している。なお、図１２の四角で示した部分が検知箇所である。
【００４３】
図１１に示す照明用制御ユニットでは、図１２に示すように、人が通過すると焦電センサ３５Ａが人の所在を検知する検知ゾーンＡと、人が通過しても焦電センサが人の所在を検知できない未検知ゾーンＸとが交互に配置される。これは、レンズ３５ａが分割面を有することによるものである。つまり、傾斜していない焦電センサ３５Ａをケース部材３の大きさに応じて近接させて並列させると、重複する検知ゾーンＡを有してしまい、図１２に示すような未検知ゾーンＸが発生してしまう。なお、図１２に示す検知ゾーンＡの位置及び数量は、あくまで一例であって、レンズ３５ａの分割数又は焦電素子３５ｂの数量によって異なるものである。
【００４４】
図１３は、傾斜していない焦電センサと、傾斜させた焦電センサとを備えた照明用制御ユニットの要部を模式的に示した説明図である。図１４は、図１３で示した照明用制御ユニットの検知範囲を示した説明図である。図１４では、焦電センサ３５Ａ及び３５Ｂのレンズ３５ａが天井から下方に向かうように照明用制御ユニット２を天井に取り付けた際に、床面１０１に対して検知する範囲を示している。なお、図１４の四角で示した部分が検知箇所である。
【００４５】
図１３に示す照明用制御ユニットでは、図１４に示すように、傾斜してない焦電センサ３５Ａが人の所在を検知する検知ゾーンＡと、傾斜させた焦電センサ３５Ｂが人の所在を検知する検知ゾーンＢとが交互に配置される。つまり、同じ検知範囲を有する焦電センサ３５Ａ及び３５Ｂを使用した場合であっても、一方の焦電センサ３５Ｂを目標の角度に傾けることによって、焦電センサ３５Ａの未検知ゾーンを焦電センサ３５Ｂで埋めることができ、人の所在を検知できない未検知範囲を減らすことができる。
【００４６】
図１５は、異なる方向に傾斜する焦電センサを２つ備えた照明用制御ユニットの要部を模式的に示した説明図である。図１６は、図１５で示した照明用制御ユニットの検知範囲を示した説明図である。図１６では、焦電センサ３５Ａ及び３５Ｂのレンズ３５ａが天井から下方に向かうように照明用制御ユニットを天井に取り付けた際に、床面１０１に対して検知する範囲を示している。なお、図１６の四角で示した部分が検知箇所である。
【００４７】
図１５に示す照明用制御ユニットでは、図１６に示すように、傾斜した一方の焦電センサ３５Ａが人の所在を検知する検知ゾーンＡと、傾斜した他方の焦電センサ３５Ｂが人の所在を検知する検知ゾーンＢとが交互に配置される。つまり、傾斜した焦電センサ３５Ａと焦電センサ３５Ｂとが、それぞれの未検知ゾーンを埋め合うことができ、人の所在を検知できない未検知範囲を減らすことができる。
【００４８】
上記したように、実施の形態１の照明用制御ユニット２は、人体を検知する複数の焦電センサ３５と、複数の焦電センサ３５を保持するセンサ保持部材３４と、焦電センサ３５からの信号を処理する制御部３３を有する回路基板３２と、少なくともセンサ保持部材３４及び回路基板３２を内部に収納するケース部材３と、を備えている。焦電センサ３５は、第１接合部３５ｄを有している。センサ保持部材３４は、焦電センサ３５の第１接合部３５ｄに接合される第２接合部３４ａが複数設けられ、該第２接合部３４ａのうち少なくとも１つが、接合した焦電センサ３５を回路基板３２の板面の垂直方向に対して目標の角度に傾ける構造を有している。よって、実施の形態１の照明用制御ユニットは、センサ保持部材３４によって、焦電センサ３５が回路基板３２の垂直方向に対して目標の傾きで保持されているので、傾けた状態の焦電センサを安定させて保持することができ、検知範囲のずれを防止して人体などから放射される赤外線を十分に検知することができる。
【００４９】
また、実施の形態１の照明用制御ユニット２では、第１接合部３５ｄと第２接合部３４ａとを、凹凸が嵌り合う形状で構成された簡易な構造としたので、焦電センサ３５をセンサ保持部材３４に取り付ける作業が容易である。
【００５０】
また、実施の形態１の照明用制御ユニット２では、センサ保持部材３４が、第１嵌合部３４ｅを有し、回路基板３２が、第１嵌合部３４ｅと嵌り合う第２嵌合部３２ｂを有している。つまり、センサ保持部材３４は、第１嵌合部３４ｅに第２嵌合部３２ｂを嵌め合わせて、回路基板３２に位置決めされた状態で取り付けられる。よって、照明用制御ユニット２は、センサ保持部材３４が不用意に位置ずれを起こしたりしないから、焦電センサ３５による検知精度を高めることができる。
【００５１】
実施の形態２．
次に、実施の形態２に係る照明用制御ユニットを図１７〜図１９に基づいて説明する。図１７及び図１８は、本発明の実施の形態２に係る照明用制御ユニットを模式的に示した正面図である。なお、実施の形態１で説明した照明用制御ユニットと同一の構成については、同一の符号を付して、その説明を適宜省略する。
【００５２】
実施の形態２に係る照明用制御ユニット２は、ケース部材３の内部において板面が焦電センサ３５と対向するように配置された回路基板３２を、重力方向に移動させる移動機構９０が設けられている。移動機構９０は、移動させた回路基板３２に連動させて焦電センサ３５を重力方向に移動させることで、焦電センサ３５の検知範囲を可変させるものである。具体的には、焦電センサ３５は、図１７に示すように、ケースボトム部３１の開口部３１ａからレンズ３５ａが完全に外部に露出した状態で移動機構９０が操作されると、図１８に示すように、レンズ３５ａが一部を残してケースボトム部３１の内部に収納される。なお、図１７及び図１８に示す照明用制御ユニット２を側面方向から見ると、図１５に示すように、焦電センサ３５Ａ及び３５Ｂが傾けられた状態で２つ設けられている。但し、図１７及び図１８に示す焦電センサ３５Ａ及び３５Ｂは、説明の便宜上、２つとしているが３つ以上でもよい。
【００５３】
移動機構９０は、一例として、ケーストップ部３０の外面に設けたスイッチ９０ａを操作することで、回路基板３２を重力方向に移動させる構成である。具体的には、移動機構９０は、回路基板３２に直接又は保持部材を介して接続されたスイッチ９０ａを手動で操作して該回路基板３２を移動させる構成である。或いは、移動機構９０は、スイッチ９０ａを押して電動で回路基板３２を移動させる構成としてもよい。要するに、移動機構９０は、移動させた回路基板３２に連動させて焦電センサ３５を重力方向に移動させることで、焦電センサ３５の検知範囲を可変させることができれば、どのような形態でもよい。
【００５４】
次に、実施の形態２の照明用制御ユニット２の検知範囲を、図１６及び図１９に基づいて説明する。図１９は、図１８で示した状態の照明用制御ユニットの検知範囲を示した説明図である。なお、図１７で示した状態の照明用制御ユニットの検知範囲は、図１６に示す検知範囲とほぼ同一であるため、図１６を用いて説明する。図１９では、焦電センサ３５Ａ及び３５Ｂのレンズ３５ａが天井から下方に向かうように照明用制御ユニット２を天井に取り付けた際に、床面１０１に対して検知する範囲を示している。なお、図１９の四角で示した部分が検知箇所である。
【００５５】
図１７に示す状態の照明用制御ユニットでは、図１６に示すように、一方の傾斜した焦電センサ３５Ａが人の所在を検知する検知ゾーンＡと、他方の傾斜した焦電センサ３５Ｂが人の所在を検知する検知ゾーンＢとが交互に配置される。つまり、傾斜した焦電センサ３５Ａと焦電センサ３５Ｂとが、それぞれの未検知ゾーンを埋め合うことができ、人の所在を検知できない未検知範囲を減らすことができる。
【００５６】
そして、図１７に示す状態の焦電センサ３５Ａ及び３５Ｂを移動機構９０で重力方向の上方へ移動させて図１８に示す状態にすると、図１６に示す焦電センサ３５Ａ及び３５Ｂの検知範囲が図１９に示すような狭い検知範囲となる。つまり、実施の形態２に係る照明用制御ユニット２では、移動機構９０を操作して、焦電センサ３５Ａ及び３５Ｂの検知範囲を広くしたり狭くしたりすることができるので、例えば検知範囲を狭くする必要がある場合等、設置される環境に応じて検知範囲を容易に調整することができる。なお、検知範囲を狭くする必要がある場合とは、例えば工場等に照明装置１００を設置した場合において、工場内の機械装置を避けた人の通路部分にのみ検知範囲が必要となる場合である。
【００５７】
実施の形態３．
次に、実施の形態３に係る照明用制御ユニットを図２０〜図２３に基づいて説明する。図２０及び図２１は、本発明の実施の形態３に係る照明用制御ユニットを模式的に示した底面図である。実施の形態１で説明した照明用制御ユニットと同一の構成については、同一の符号を付して、その説明を適宜省略する。なお、図２０及び図２１に示す焦電センサ３５Ａ及び３５Ｂは、説明の便宜上、２つとしているが３つ以上でもよい。
【００５８】
実施の形態３に係る照明用制御ユニット２は、図２０及び図２１に示すように、ケース部材３の内部において板面が焦電センサ３５と対向するように配置された回路基板３２を、板面の垂直方向を回転軸として回動させる回動機構９１を有している。回動機構９１は、例えば図２０に示す状態から図２１に示す状態に回動させた回路基板３２に連動させて焦電センサ３５Ａ及び３５Ｂを回動させることで、該焦電センサ３５Ａ及び３５Ｂの検知範囲を可変させるものである。なお、回動機構９１によって回動させる焦電センサ３５Ａ及び３５Ｂの範囲は、０°以上９０°以下であればよい。焦電センサ３５Ａ及び３５Ｂを当該範囲で回動させることができれば、十分に検知範囲を広げることができ、構造も簡素化できるからである。また、実施の形態３におけるケース部材３は、回路基板３２及びセンサ保持部材３４を内部で回動させることができる大きさ及び形状とする。また、実施の形態３における回路基板３２及びセンサ保持部材３４は、ケース部材３の内部において自由に回動できるように配置されているものとする。
【００５９】
回動機構９１は、一例として、ケース部材３の外面に設けたスイッチ９１ａを操作することで、回路基板３２を回動させる構成である。具体的には、回動機構９１は、回路基板３２に直接又は保持部材を介して接続されたスイッチ９１ａを手動で回動させて回路基板３２を回動させる構成である。或いは、回動機構９１は、スイッチ９１ａを押して電動で回路基板３２を回動させる構成としてもよい。要するに、回動機構９１は、回動させた回路基板３２に連動させて焦電センサ３５Ａ及び３５Ｂを回動させることで、焦電センサ３５Ａ及び３５Ｂの検知範囲を可変させることができれば、どのような形態でもよい。
【００６０】
なお、図２０及び図２１に示したケースボトム部３１の底面には、一例として、焦電センサ３５Ａ及び３５Ｂと共に回動する回動部３１ｃが設けられている。但し、これに限定されず、焦電センサ３５Ａ及び３５Ｂと共にケースボトム部３１自体が回動する構造でもよいし、その他の構造でもよい。
【００６１】
次に、実施の形態３の照明用制御ユニットの検知範囲を、図２２及び図２３に基づいて説明する。図２２は、図２０で示した状態の照明用制御ユニットの検知範囲を示した説明図である。図２３は、図２１で示した状態の照明用制御ユニットの検知範囲を示した説明図である。図２２及び図２３では、焦電センサ３５Ａ及び３５Ｂのレンズ３５ａが天井から下方に向かうように照明用制御ユニット２を天井に取り付けた際に、床面１０１に対して検知する範囲を示している。なお、図２２及び図２３の四角で示した部分が検知箇所である。
【００６２】
図２０に示す状態の照明用制御ユニット２では、図２２に示すように、一方の傾斜した焦電センサ３５Ａが人の所在を検知する検知ゾーンＡと、他方の傾斜した焦電センサ３５Ｂが人の所在を検知する検知ゾーンＢとが交互に配置される。つまり、傾斜した焦電センサ３５Ａと焦電センサ３５Ｂとが、それぞれの未検知ゾーンを埋め合うことができ、人の所在を検知できない未検知範囲を減らすことができる。
【００６３】
そして、図２０に示す状態の焦電センサ３５Ａ及び３５Ｂを回動機構９１で回動させて、図２１に示す状態にすると、図２２に示す焦電センサ３５Ａ及び３５Ｂの検知範囲も図２３に示すように回動する。例えば、図２２及び図２３の検知ゾーンＹに着目すると、図２２では未検知範囲であるが、図２３では検知範囲となる。このように、回動機構９１で焦電センサ３５Ａ及び３５Ｂを回動させることで、未検知範囲であった部分が検知範囲となるので、効果的に人の有無及び位置を検知することができる。
【００６４】
以上に本発明を実施の形態に基づいて説明したが、本発明は上述した実施の形態の構成に限定されるものではない。例えば、照明用制御ユニット２を照明器具１に取り付ける構成は、図示した形態に限定されず、他の形態であってもよい。また、図示した照明器具１及び照明用制御ユニット２の構成は、一例であって、他の形態でもよい。要するに、いわゆる当業者が必要に応じてなす種々なる変更、応用、利用の範囲をも本発明の要旨（技術的範囲）に含むことを念のため申し添える。
【符号の説明】
【００６５】
１  照明器具、２  照明用制御ユニット、３  ケース部材、４  第一固定部材、５  第二固定部材、６  締結部材、１０  アーム、１１  電源ユニット、１１ａ  点灯制御装置、１２  天板、１３  支柱枠組、１３ａ  主支柱部材、１３ｂ  中間支柱部材、１３ｃ  ガード部材、１４  支持機構、１４ａ  凸部、１４ｂ  凹部、１５  光源ユニット、１６  ヒートシンク、１６ａ  放熱板、１６ｂ  放熱フィン、１６ｃ  外周壁、１７  ＬＥＤ基板、１７ａ  光源、１８  カバー部材、１９  電線、１９ａ  コネクターカバー、１９ｂ  インシュロック、１９ｃ  クリップ、３０  ケーストップ部、３０ａ  当接面部、３０ｂ  湾曲面、３０ｃ  電線孔、３１  ケースボトム部、３１ａ  開口部、３１ｂ  基板支持部、３１ｃ  回動部、３２  回路基板、３２ａ  貫通孔、３２ｂ  第２嵌合部、３３  制御部、３４  センサ保持部材、３４ａ  第２接合部、３４ｂ  窪部、３４ｃ  底面、３４ｄ  貫通孔、３４ｅ  第１嵌合部、３５、３５Ａ、３５Ｂ  焦電センサ、３５ａ  レンズ、３５ｂ  焦電素子、３５ｃ  リード線、３５ｄ  第１接合部、３５ｅ  貫通孔、３６  コネクタ、４０  係合部、４１  接続部、５０  フック部、５１  保持部、９０  移動機構、９０ａ  スイッチ、９１  回動機構、９１ａ  スイッチ、１００  照明装置、１０１  床面。
【図１】
2019083102.tif 000003
【図２】
2019083102.tif 000004
【図３】
2019083102.tif 000005
【図４】
2019083102.tif 000006
【図５】
2019083102.tif 000007
【図６】
2019083102.tif 000008
【図７】
2019083102.tif 000009
【図８】
2019083102.tif 000010
【図９】
2019083102.tif 000011
【図１０】
2019083102.tif 000012
【図１１】
2019083102.tif 000013
【図１２】
2019083102.tif 000014
【図１３】
2019083102.tif 000015
【図１４】
2019083102.tif 000016
【図１５】
2019083102.tif 000017
【図１６】
2019083102.tif 000018
【図１７】
2019083102.tif 000019
【図１８】
2019083102.tif 000020
【図１９】
2019083102.tif 000021
【図２０】
2019083102.tif 000022
【図２１】
2019083102.tif 000023
【図２２】
2019083102.tif 000024
【図２３】
2019083102.tif 000025